(57)【要約】【課題】トランスの温度上昇を抑制し、放電管点灯装置の小型化を図ることができる放電管点灯装置、及び、同トランスのトランスコアを提供する。【解決手段】中央鉄心部１８と、この中央鉄心部１８の両端間を繋ぐヨーク１９とを備えたトランスコア１５において、ヨーク１９の幅側端縁には、他の部分よりも肉厚とされた肉厚部２０が形成されている。このトランスコア１５は、放電管点灯装置１０のシャーシ１２の底部に切り起こされた４つのシャーシ側爪部１６によって、肉厚部２０がシャーシ１２に当接する状態で保持される。また、シャーシ１２に固定されるカバー１３には、４つのカバー側爪部２２が切り起こされており、このカバー側爪部２２によってトランスコア１５がシャーシ１２に押さえつけられる。【選択図】図３
2007194356.tif 000002
【特許請求の範囲】
【請求項１】
中央鉄心部と、この中央鉄心部の両端間を繋ぐヨークとを備えたトランスコアを、ベース部材に固定した放電管点灯装置において、
前記ヨークの幅側端縁を前記ベース部材に当接させたことを特徴とする放電管点灯装置。
【請求項２】
前記ヨークの幅側端縁に、他の部分よりも肉厚とされた肉厚部を形成し、この肉厚部を前記ベース部材に当接させたことを特徴とする請求項１に記載の放電管点灯装置。
【請求項３】
前記ベース部材を金属板から形成するとともに爪部を切り起こし、この爪部によって前記トランスコアを位置決め保持したことを特徴とする請求項１又は請求項２に記載の放電管点灯装置。
【請求項４】
金属板から形成されるとともに前記ベース部材に固定される蓋体を備え、この蓋体に切り起こした爪部によって前記トランスコアを同ベース部材に押さえつけたことを特徴とする請求項３に記載の放電管点灯装置。
【請求項５】
中央鉄心部と、この中央鉄心部の両端間を繋ぐヨークとを備えたトランスコアにおいて、
前記ヨークの幅側端縁に、他の部分よりも肉厚とされた肉厚部を形成したことを特徴とするトランスコア。
【請求項６】
前記各肉厚部は、前記中央鉄心部側に向かって突出することにより肉厚が増大するように形成されていることを特徴とする請求項５に記載のトランスコア。
【発明の詳細な説明】
【技術分野】
【０００１】
この発明は、トランスを備えた放電管点灯装置、及び、同トランスのトランスコアに関するものである。
【背景技術】
【０００２】
従来、この種の技術としては、例えば特許文献１及び特許文献２に開示されるものがある。
すなわち、特許文献１に記載のものにおいては、ベース部と、このベース部に嵌合されるカバー部とからなるケース内において、ベース部に設けられた枠状のトランス抑え部によって、トランスのコイル部が抑えられている。また、カバー部に設けられた押え突片によってトランスのプリント基板が押さえられている。そして、この構成により、ネジを用いることなくトランスをベース部に対して容易に固定できるとされている。
【０００３】
また、特許文献２に記載のものにおいては、板ばねに対し、天井部と、板ばねの両側からトランスコアを抱きかかえる両腕部と、ベース板へのネジ止め用の孔が設けられた取付片とが形成されている。そして、両腕部に抱きかかえられた状態のトランスコアの中央部が、天井部によって弾性的に押さえられることにより一対のトランスコアがベース板に固定される。
【特許文献１】特開平８−４５７４７号公報
【特許文献２】特開２０００−１８２８４７号公報
【発明の開示】
【発明が解決しようとする課題】
【０００４】
ところで、従来、誘電体バリヤ放電ランプ等の放電管を点灯させるための放電管点灯装置において、トランスは、金属シャーシに対しブラケットを介して固定されるとともに、シャーシに固定されるカバーによって覆われていた。そして、このカバー内には、主にトランスから発生する熱を点灯装置の外部に逃がすための広い空間が設けられ、この空間を介した放熱によってトランスの過度の温度上昇が防止されるとともに電力損失の増大が抑制されていた。従って、シャーシ及びカバーによって構成される放電管点灯装置の筐体が、空間の分だけ大きくなるのを避けることができなかった。
【０００５】
この発明の目的とするところは、トランスの温度上昇を抑制し、放電管点灯装置の小型化を図ることができる放電管点灯装置、及び、同トランスのトランスコアを提供することにある。
【課題を解決するための手段】
【０００６】
上記の目的を達成するために、請求項１に記載の発明は、中央鉄心部と、この中央鉄心部の両端間を繋ぐヨークとを備えたトランスコアを、ベース部材に固定した放電管点灯装置において、前記ヨークの幅側端縁を前記ベース部材に当接させたことを特徴とする。このような構成によれば、トランスで発生した熱は、ベース部材に当接するヨークからベース部材に直接伝達され、さらにベース部材から放電管点灯装置の外部に逃がされる。このため、放電管点灯装置の筐体内に放熱用の広い空間を設けなくても、トランスコアが効率良く冷却される。従って、トランスの温度上昇を抑制し、放電管点灯装置の小型化を図ることができる。
【０００７】
請求項２に記載の発明は、請求項１に記載の発明に加えて、前記ヨークの幅側端縁に、他の部分よりも肉厚とされた肉厚部を形成し、この肉厚部を前記ベース部材に当接させたことを特徴とする。このような構成によれば、トランスコアの熱は、ヨークの肉厚部のより広い接触面を通じて効率良くベース部材に逃がされる。ここで、トランスコアは、そのヨークにおける幅側端縁の肉厚部の肉厚が他の部分よりも厚くなるだけであるので、トランスの体積はそれほど増大しない。このため、トランスコアの冷却効率が向上し、トランスの温度上昇が一層抑制されるので、放電管点灯装置をさらに小型化することができる。
【０００８】
請求項３に記載の発明は、請求項１又は請求項２に記載の発明に加えて、前記ベース部材を金属板から形成するとともに爪部を切り起こし、この爪部によって前記トランスコアを位置決め保持したことを特徴とする。このような構成によれば、トランスコアをベース部材に固定するための別部品を必要としないので、別部品を装着するための空間をトランスの周囲に設ける必要がない。このため、部品点数及び組立工数を削減することができるとともに、放電管点灯装置を小型化することができる。
【０００９】
請求項４に記載の発明は、請求項３に記載の発明に加えて、金属板から形成されるとともに前記ベース部材に固定される蓋体を備え、この蓋体に切り起こした爪部によって前記トランスコアを同ベース部材に押さえつけたことを特徴とする。このような構成によれば、ベース部材と蓋体とにより構成される筐体の内部において、トランスコアを確実に固定することができる。
【００１０】
請求項５に記載の発明は、中央鉄心部と、この中央鉄心部の両端間を繋ぐヨークとを備えたトランスコアにおいて、前記ヨークの幅側端縁に、他の部分よりも肉厚とされた肉厚部を形成したことを特徴とする。このような構成によれば、ヨークをベース部材に当接させた状態でトランスコアをベース部材に固定することにより、ヨークとベース部材との接触面を通じてトランスコアの熱が効率良くベース部材に伝達される。ここで、トランスコアは、そのヨークの幅側端縁に形成された肉厚部の肉厚が他の部分よりも厚くなるだけであるので、トランスの体積はそれほど増大しない。このため、トランスコアの冷却効率が向上し、トランスの温度上昇が一層抑制されるので、放電管点灯装置のさらなる小型化を図ることができる。
【００１１】
請求項６に記載の発明は、請求項５に記載の発明において、前記各肉厚部は、前記中央鉄心部側に向かって突出することにより肉厚が増大するように形成されていることを特徴とする。このような構成によれば、肉厚部がヨークの外方へ突出しないため、トランスが放電管点灯装置の筐体内に占める容積が増大せず、筐体の小型化に有利となる。
【発明の効果】
【００１２】
この発明によれば、トランスの温度上昇を抑制し、放電管点灯装置の小型化を図ることができる放電管点灯装置、及び、同トランスのトランスコアを提供することができる。
【発明を実施するための最良の形態】
【００１３】
次に、この発明を具体化した一実施形態について図１〜図５を用いて説明する。
図１に示すように、放電管点灯装置１０は、図示しないインバータや、トランス１１が固定されるベース部材としてのシャーシ１２を備え、このシャーシ１２には、蓋体としてのカバー１３が着脱可能に固定されるようになっている。シャーシ１２及びカバー１３は、いずれも導電性の金属板からプレス成形されており、放電管点灯装置の筐体１４を構成する。なお、放電管点灯装置１０は、バッテリから供給される直流をインバータにより交流に変換した後、この交流をトランス１１によって昇圧させ、図示しない放電管に出力する。
【００１４】
図２に示すように、シャーシ１２の底部には、トランス１１のトランスコア１５を固定するための４つのシャーシ側爪部１６がシャーシ１２の内側に向かって切り起こされている。トランスコア１５は、この４つのシャーシ側爪部１６によって挟持されることによりシャーシ１２の底部内面上に位置決め保持されている。また、トランスコア１５は、同じ形状の一対の半コア体１７を突き合わせて構成され、図示しない１次コイル及び２次コイルが設けられる中央鉄心部１８と、この中央鉄心部１８の両端間を繋ぐ一対の板状のヨーク１９とを備えている。そして、中央鉄心部１８とヨーク１９との間には、空間が形成されている。
【００１５】
図４及び図５（ａ），（ｂ）に示すように、ヨーク１９の幅方向（図４における上下方向）における下側端縁には、他の部分よりも肉厚とされた肉厚部２０が形成されている。この肉厚部２０は、その下側ほど中央鉄心部１８側に向かって突出することにより肉厚が増大するように形成されている。そして、図３（ａ），（ｂ）に示すように、トランスコア１５は、この肉厚部２０をシャーシ１２の底部内面に当接させた状態で、前記シャーシ側爪部１６によって位置決め保持される。なお、各半コア体１７の上側における中央鉄心部１８とヨーク１９との接続部分において、ヨーク１９には、１次コイル又は２次コイルの端子を配置するための切欠き部２１が形成されている。
【００１６】
また、図２に示すように、前記カバー１３には、シャーシ１２の底部内面上に位置決めされたトランスコア１５をシャーシ１２に押し付けるための４つのカバー側爪部２２がカバー１３の内側に向かって切り起こされている。また、カバー１３には、カバー側爪部２２毎に対応して開口部２２ａが形成されている。図３（ｂ）に示すように、この各カバー側爪部２２は、シャーシ１２に対してカバー１３が固定された状態において、トランスコア１５のヨーク１９の上面にそれぞれ当接する。従って、トランスコア１５は、シャーシ側爪部１６とカバー側爪部２２とにより、筐体１４内において固定保持される。さらに、カバー１３には、トランス１１やインバータで発生した熱を筐体１４の外部に放出するための網状の開口部２３が広い範囲に亘って形成されている。
【００１７】
さて、図示しない放電管への電力供給に伴って、１次コイル及び２次コイルの発熱や鉄損等によりトランスコア１５の温度が上昇する。トランスコア１５の熱は、シャーシ１２の底部上面に当接する肉厚部２０の広い接触面を通じてシャーシ１２側に効率良く逃がされる。また、トランスコア１５の熱は、トランスコア１５にそれぞれ当接する各シャーシ側爪部１６及び各カバー側爪部２２を通じてもシャーシ１２及びカバー１３に効率良く逃がされる。このとき、トランスコア１５から熱が伝えられる各カバー側爪部２２が、それぞれ開口部２２ａに面しているので、放熱効率が一層向上する。さらに、トランスコア１５の熱は、筐体１４内の空気を介して、トランスコア１５に対面する各開口部２２ａと、網状の開口部２３とからも筐体１４の外部に逃がされる。このため、トランスコア１５の過度の温度上昇が抑制され、電力伝達損失の増大が抑制される。
【００１８】
次に、以上詳述した本実施形態が有する効果を列記する。
（１）  この実施形態によれば、トランス１１で発生した熱が、トランスコア１５におけるヨーク１９の下側端縁に形成された肉厚部２０を通じて熱伝導性のシャーシ１２に効率良く逃がされる。従って、トランス１１からの放熱用の広い空間を筐体１４内に設ける必要がないので、放電管点灯装置１０を小型化することができる。
【００１９】
（２）  金属板からなるシャーシ１２の底部に切り起こした複数のシャーシ側爪部１６によってトランスコア１５を位置決め保持するとともに、同じくカバー１３に切り起こした複数のカバー側爪部２２によってトランスコア１５をシャーシ１２側に押さえつけた。従って、上記特許文献２の構成とは異なり、トランスコア１５をシャーシ１２に固定するための別部品を必要とせず、別部品を装着するための空間をトランスコア１５の周囲に設ける必要がない。このため、部品点数及び組立工数を削減することができるとともに、放電管点灯装置１０を一層小型化することができる。
【００２０】
（３）  肉厚部２０は、中央鉄心部１８側に向かって突出することにより肉厚が増大するように形成されている。従って、肉厚部２０を設けても、トランスコア１５がヨーク１９の外方へ突出することはなく、筐体１４内に占める容積が増大しないので、筐体１４の小型化に有利となる。
【００２１】
（４）  ヨーク１９の下側端縁のみに肉厚部２０を形成したので、トランスコア１５の上側は従来と同様な大きさのまま開口している。このため、肉厚部２０があっても、中央鉄心部１８への１次コイル及び２次コイルの組み付け作業が容易なままとなる。
【００２２】
なお、この発明は、次のように変更して具体化することもできる。
・  図５（ａ）に二点鎖線で示すように、トランスコア１５におけるヨーク１９の上側端縁に肉厚部２０と同様な肉厚部３０を設けるとともに、この肉厚部３０の上面３０ａにカバー１３の内面を当接させてトランスコア１５をシャーシ１２に押さえつける構成とする。この場合には、トランスコア１５の熱が、前記肉厚部２０を通じてシャーシ１２に効率良く放熱されることに加え、この肉厚部３０を通じてカバー１３に効率良く放熱される。従って、トランスコア１５の冷却効率が一層向上し、トランスコア１５の温度上昇が一層抑制されるため、筐体１４内の空間をより小さくして放電管点灯装置１０をさらに小型化することができる。
【００２３】
・  この発明を、肉厚部２０を備えないトランスコア１５を備えた放電管点灯装置１０に具体化する。
・  この発明を、冷陰極管、熱陰極管、あるいは、一般蛍光灯の点灯装置に具体化する。
【００２４】
以下、上記実施形態から把握される技術的思想を記載する。
請求項３に記載の放電管点灯装置において、金属板から形成されるとともに前記ベース部材に固定される蓋体を備え、この蓋体の内面によって前記トランスコアを同ベース部材に押さえつけたことを特徴とする放電管点灯装置。この構成によれば、トランスコアの温度上昇を一層抑制し、放電管点灯装置をさらに小型化することができる。
【図面の簡単な説明】
【００２５】
【図１】一実施形態の放電管点灯装置を示す分解斜視図。
【図２】同じく要部を示す放電管点灯装置の分解斜視図。
【図３】（ａ）は放電管点灯装置の平面図、（ｂ）は（ａ）におけるａ−ａ線断面図。
【図４】トランスコアにおける半コア体を示す斜視図。
【図５】（ａ）はトランスコアの縦断面図、（ｂ）は同じく別の位置における縦断面図。
【符号の説明】
【００２６】
１０…放電管点灯装置、１１…トランス、１２…ベース部材としてのシャーシ、１３…蓋体としてのカバー、１５…トランスコア、１６…爪部としてのシャーシ側爪部、１８…中央鉄心部、１９…ヨーク、２０…肉厚部、２２…爪部としてのカバー側爪部、３０…肉厚部。
【図１】
2007194356.tif 000003
【図２】
2007194356.tif 000004
【図３】
2007194356.tif 000005
【図４】
2007194356.tif 000006
【図５】
2007194356.tif 000007